(57)【要約】無線通信装置の装置識別情報を用いるコンテンツ表示方法及びコンテンツ提供方法が開示される。コンテンツ表示方法は、無線通信装置のカバレッジ領域内に位置すると無線通信装置から装置識別情報を受信するステップと、コンテンツ提供システムから前記装置識別情報に対応する少なくとも１つのコンテンツを受信して表示するステップとを含む。
2014529374.tif 000002
【特許請求の範囲】
【請求項１】
無線通信装置のカバレッジ領域内に位置すると無線通信装置から装置識別情報を受信する識別情報受信部と、
コンテンツ提供システムから前記装置識別情報に対応する少なくとも１つのコンテンツを受信して表示するコンテンツ表示部と、
を備えることを特徴とするユーザ端末。
【請求項２】
前記識別情報受信部は、前記ユーザ端末によって複数の無線通信装置のうち選択された無線通信装置から装置識別情報を受信することを特徴とする請求項１に記載のユーザ端末。
【請求項３】
前記識別情報受信部は、前記ユーザ端末との距離に応じて予め設定した信号感度以上を示す複数の無線通信装置のうち選択された無線通信装置から装置識別情報を受信することを特徴とする請求項２に記載のユーザ端末。
【請求項４】
前記識別情報受信部は、無線通信装置のカバレッジ領域内に位置していない隣接端末に前記無線通信装置の装置識別情報を伝達することを特徴とする請求項１に記載のユーザ端末。
【請求項５】
前記識別情報受信部は、前記ユーザ端末の第１ユーザとソーシャルネットワークの人脈関係にある第２ユーザの隣接端末に前記無線通信装置の装置識別情報を伝達することを特徴とする請求項１に記載のユーザ端末。
【請求項６】
前記コンテンツ表示部は、前記ユーザ端末が位置したカバレッジ領域に対応する無線通信装置の位置情報に基づいて受信した少なくとも１つのコンテンツの表示を制御することを特徴とする請求項１に記載のユーザ端末。
【請求項７】
ユーザ端末から受信した無線通信装置の装置識別情報を用いてコンテンツを検索するコンテンツ検索部と、
前記検索したコンテンツをユーザ端末に提供するコンテンツ提供部と、
を備えることを特徴とするコンテンツ提供システム。
【請求項８】
前記ユーザ端末は、前記無線通信装置のカバレッジ領域内に位置することを特徴とする請求項７に記載のコンテンツ提供システム。
【請求項９】
前記コンテンツ検索部は、前記無線通信装置のカバレッジ領域内に位置するユーザ端末が伝達した無線通信装置の装置識別情報を隣接端末から受信してコンテンツを検索することを特徴とする請求項７に記載のコンテンツ提供システム。
【請求項１０】
前記コンテンツ検索部は、前記無線通信装置のカバレッジ領域内に位置するユーザ端末の第１ユーザとソーシャルネットワークの人脈関係にある第２ユーザの隣接端末から無線通信装置の装置識別情報を受信してコンテンツを検索することを特徴とする請求項７に記載のコンテンツ提供システム。
【請求項１１】
前記コンテンツ提供システムは、前記無線通信装置の装置識別情報に対応するコンテンツを格納して管理するコンテンツ管理部をさらに備えることを特徴とする請求項７に記載のコンテンツ提供システム。
【請求項１２】
前記ユーザ端末は、前記無線通信装置の位置情報に基づいて受信した少なくとも１つのコンテンツの表示を制御することを特徴とする請求項７に記載のコンテンツ提供システム。
【請求項１３】
ユーザ端末が行うコンテンツ表示方法において、
無線通信装置のカバレッジ領域内に位置すると無線通信装置から装置識別情報を受信するステップと、
コンテンツ提供システムから前記装置識別情報に対応する少なくとも１つのコンテンツを受信して表示するコンテンツステップと、
を含むことを特徴とするコンテンツ表示方法。
【請求項１４】
コンテンツ提供システムが行うコンテンツ提供方法において、
ユーザ端末から受信した無線通信装置の装置識別情報を用いてコンテンツを検索するステップと、
前記検索したコンテンツをユーザ端末に提供するステップと、
を含むことを特徴とするコンテンツ提供方法。
【発明の詳細な説明】
【技術分野】
【０００１】
本発明は無線通信装置の装置識別情報を用いてコンテンツを提供し、より具体的には、無線通信装置のカバレッジ領域内に位置するユーザ端末が無線通信装置の装置識別情報をコンテンツ提供システムに提供し、ユーザ端末はコンテンツ提供システムから装置識別情報に対応するコンテンツを受信して表示することに関する。
【背景技術】
【０００２】
従来における無線通信装置を用いてコンテンツを提供する方法は様々な方法で提案されている。主に、無線通信装置の位置に基づいてコンテンツを提供する形態、複数の端末間にコンテンツを伝達する形態などが提案されている。
【０００３】
一例として、韓国公開特許第２００６−００８１５７０号には、無線インターネットを用いる位置基盤コンテンツ提供方法に関し、移動端末が無線インターネットに接続して移動端末の加入者情報及び無線インターネットに接続した位置情報をＷＡＰゲートウェイに提供し、Ｂ）移動端末が無線インターネットを用いてコンテンツの提供を受けることによって加入者情報及び位置情報に対応するコンテンツ情報がＷＡＰゲートウェイに記録されるステップと、Ｃ）ＷＡＰゲートウェイに記録された加入者情報、位置情報、及びコンテンツ情報を抽出し、位置情報によるコンテンツ情報を所定期間中に累積記録する学習を行うステップと、Ｄ）ステップＣ）の学習実行結果に基づいて推薦リストを生成し、コンテンツ情報に基づいてコンテンツ提供サーバから抽出されたコンテンツのリストを推薦リストに添付するステップを提案している。
【０００４】
そして、韓国公開特許第２００９−００８２９９５号は無線通信端末とそのデータダウンロード方法に関し、例えば、無線メッシュ（Ｗｉｒｅｌｅｓｓ  Ｍｅｓｈ）ネットワークのピアツーピア（Ｐｅｅｒ  Ｔｏ  Ｐｅｅｒ）方式によって、隣に位置する複数の他の無線通信端末から要求したコンテンツデータの一部をそれぞれ並列的にダウンロードすることでコンテンツデータダウンロードを迅速に行うものを提案している。
【０００５】
しかし、最近には基地局、無線アクセスポイント、ブルートゥースなどの無線ネットワークの活用が増加しながら、これを活用してコンテンツを提供する形態が求められている。
【発明の概要】
【発明が解決しようとする課題】
【０００６】
本発明は、基地局、無線アクセスポイント、ブルートゥースなどのような無線通信装置のカバレッジ領域内に位置するユーザ端末に装置識別情報を提供し、装置識別情報に対応するコンテンツを提供する装置及び方法を提供する。
【０００７】
本発明は、無線通信装置のカバレッジ領域内に位置するユーザ端末がカバレッジ領域内に属しないものの、ユーザ端末の第１ユーザとソーシャルネットワークの人脈関係にある第２ユーザの隣接端末に装置識別情報を伝達してコンテンツを提供することで、コンテンツの提供機会が拡大される装置及び方法を提供する。
【課題を解決するための手段】
【０００８】
本発明の一実施形態に係るユーザ端末は、無線通信装置のカバレッジ領域内に位置すると無線通信装置から装置識別情報を受信する識別情報受信部と、コンテンツ提供システムから前記装置識別情報に対応する少なくとも１つのコンテンツを受信して表示するコンテンツ表示部とを備える。
【０００９】
本発明の一実施形態に係るコンテンツ提供システムは、ユーザ端末から受信した無線通信装置の装置識別情報を用いてコンテンツを検索するコンテンツ検索部と、前記検索したコンテンツをユーザ端末に提供するコンテンツ提供部とを備える。
【００１０】
本発明の一実施形態に係るコンテンツ表示方法は、無線通信装置のカバレッジ領域内に位置すると無線通信装置から装置識別情報を受信するステップと、コンテンツ提供システムから前記装置識別情報に対応する少なくとも１つのコンテンツを受信して表示するコンテンツステップとを含む。
【００１１】
本発明の一実施形態に係るコンテンツ提供方法は、ユーザ端末から受信した無線通信装置の装置識別情報を用いてコンテンツを検索するステップと、前記検索したコンテンツをユーザ端末に提供するステップとを含む。
【図面の簡単な説明】
【００１２】
【図１】本発明の一実施形態に係る無線通信装置の装置識別情報を用いてコンテンツを提供する過程を示す図である。
【図２】本発明の一実施形態に係るユーザ端末とコンテンツ提供システムの細部構成を示すブロックダイアグラムである。
【図３】本発明の一実施形態に係るコンテンツの表示を制御する過程を示す図である。
【図４】本発明の一実施形態によりソーシャルネットワークの人脈関係にある他のユーザの隣接端末にコンテンツを提供する過程を示す図である。
【図５】本発明の一実施形態に係るコンテンツ表示方法を示すフローチャートである。
【図６】本発明の一実施形態に係るコンテンツ提供方法を示す図である。
【発明を実施するための形態】
【００１３】
以下、本発明の実施形態について添付の図面を参照しながら詳細に説明する。
【００１４】
図１は、本発明の一実施形態に係る無線通信装置の装置識別情報を用いてコンテンツを提供する過程を示す図である。
【００１５】
図１を参考すると、無線通信装置１０１、１０２、ユーザ端末１０３、及びコンテンツ提供システム１０４を図示している。
【００１６】
ユーザ端末１０３を所有しているユーザが無線通信装置１０１又は無線通信装置１０２のカバレッジ領域に位置してもよい。ここで、無線通信装置１０１、１０２は、基地局、中継機、無線アクセスポイント（ＡＰ）、ブルートゥース受信機、ＲＦＩＤリーダー、ＤＭＢ送信機などの遠距離又は近距離無線ネットワークとして用いられる装置を含んでもよい。本発明の一実施形態に係る無線通信装置１０１、１０２は無線ネットワークに用いられる装置であれば、いずれも含まれてもよい。そして、ユーザ端末１０３は、携帯電話、スマートフォン、ＰＤＡ、スマートパッドなどの無線ネットワークを介してデータ送信可能な端末であってもよい。
【００１７】
ユーザ端末１０３を所有しているユーザは、無線通信装置１０１及び無線通信装置１０２の共通するカバレッジ領域に位置してもよい。この場合、ユーザ端末１０３は、無線通信装置１０１又は無線通信装置１０２を選択してもよい。図１では、無線通信装置１０１を選択するものと仮定する。
【００１８】
それで、無線通信装置１０１は、自身の装置識別情報（ＩＤ１）をユーザ端末１０３に送信してもよい。ユーザ端末１０３は、無線通信装置１０１から伝達された装置識別情報をコンテンツ提供システム１０４に伝達してもよい。その後、ユーザ端末１０３は、コンテンツ提供システム１０４から無線通信装置１０１の装置識別情報（ＩＤ１）に対応する少なくとも１つのコンテンツを受信してもよい。すなわち、無線通信装置１０１の装置識別情報（ＩＤ１）はビーコンの意味と類似する。
【００１９】
ここで、無線通信装置が無線アクセスポイントである場合、装置識別情報はＳＳＩＤ（ｓｅｒｖｉｃｅ  ｓｅｔ  ｉｄｅｎｔｉｆｉｅｒ）、ＷＥＰキーであってもよい。また、無線通信装置が基地局や中継機である場合、装置識別情報はカバレッジと関連するＣＩＤ（ＣＥＬＬ  ＩＤ）であってもよい。また、無線通信装置の装置識別情報はＭＡＣアドレスであってもよい。
【００２０】
もし、ユーザ端末１０３が無線通信装置１０１から装置識別情報（ＩＤ１）を受信した場合、ユーザ端末１０３は、コンテンツ提供システム１０４からＩＤ１に対応するコンテンツＣ１１、Ｃ１２を受信してもよい。コンテンツの形態は、テキスト、オーディオ、ビデオ形態に制限されることなく、好ましくは、コンテンツは、無線通信装置１０１、１０２に登録されたコンテンツ提供者が任意に配布するための目的、あるいは広告主の広告を表示するための目的として活用され得る。
【００２１】
図２は、本発明の一実施形態に係るユーザ端末とコンテンツ提供システムの細部構成を示すブロックダイアグラムである。
【００２２】
図２を参考すると、ユーザ端末２０１は、識別情報受信部２０３及びコンテンツ表示部２０４を備える。そして、コンテンツ提供システム２０２は、コンテンツ管理部２０５、コンテンツ検索部２０６及びコンテンツ提供部２０７を備えてもよい。
【００２３】
識別情報受信部２０３は、ユーザ端末２０１が無線通信装置のカバレッジ領域内に位置すると、無線通信装置から装置識別情報を受信してもよい。
【００２４】
一例として、識別情報受信部２０３は、ユーザ端末２０１によって複数の無線通信装置のうち選択された無線通信装置から識別情報を受信してもよい。ここで、識別情報受信部２０３は、無線通信装置とユーザ端末２０１との距離に応じて予め設定した感度以上を示す複数の無線通信装置のうち選択された無線通信装置から装置識別情報を受信してもよい。
【００２５】
そして、識別情報受信部２０３は、無線通信装置のカバレッジ領域内に位置していない隣接端末に無線通信装置の装置識別情報を伝達してもよい。すなわち、隣接端末は、無線通信装置のカバレッジ領域内に位置しなくても、無線通信装置の装置識別情報を用いてコンテンツ提供システム２０２からコンテンツを受信してもよい。
【００２６】
また、識別情報受信部２０３は、ユーザ端末２０１の第１ユーザとソーシャルネットワークの人脈関係にある第２ユーザの隣接端末に無線通信装置の装置識別情報を伝達してもよい。例えば、第１ユーザと第２ユーザが互いにブログ、コミュニティ、マイクロブログのようなソーシャルネットワーク上で人脈関係にある場合、識別情報受信部２０３は、第２ユーザの隣接端末に無線通信装置の装置識別情報を伝達してもよい。すなわち、無線通信装置の装置識別情報は、ソーシャルネットワーク上の人脈関係で拡大されることで、ソーシャルネットワーク上の人脈関係にある他のユーザにもコンテンツが提供され得る。
【００２７】
コンテンツ表示部２０４は、コンテンツ提供システム２０２から装置識別情報に対応する少なくとも１つのコンテンツを受信して表示してもよい。一例として、コンテンツ表示部２０４は、ユーザ端末２０１が位置するカバレッジ領域内に対応する無線通信装置の位置情報に基づいて少なくとも１つのコンテンツの表示を制御してもよい。
【００２８】
例えば、ユーザ端末２０１が無線通信装置のカバレッジ領域内に位置するとしても、無線通信装置に近接する場所にあるか、又は無線通信装置のカバレッジ領域の境界に位置してもよい。
【００２９】
すると、ユーザ端末２０１の位置と無線通信装置の位置が近いほどコンテンツ表示部２０４は、無線通信装置の位置に直接的に関連するコンテンツを優先して表示してもよい。そして、ユーザ端末２０１の位置と無線通信装置の位置が遠いほど、コンテンツ表示部２０４は装置識別情報に対応する少なくとも１つのコンテンツを任意に表示してもよい。
【００３０】
コンテンツ管理部２０５は、無線通信装置の装置識別情報に対応するコンテンツを格納して管理してもよい。例えば、コンテンツ管理部２０５は、無線通信装置の装置識別情報とコンテンツをルックアップテーブル形態に格納してもよい。
【００３１】
コンテンツ検索部２０６は、ユーザ端末２０１から受信した無線通信装置の装置識別情報を用いてコンテンツを検索する。ここで、ユーザ端末２０１は、無線通信装置のカバレッジ領域内に位置してもよい。
【００３２】
ここで、コンテンツ検索部２０６は、無線通信装置のカバレッジ領域内に位置するユーザ端末２０１が伝達した無線通信装置の装置識別情報を隣接端末から受信してコンテンツを検索してもよい。
【００３３】
または、コンテンツ検索部２０６は、無線通信装置のカバレッジ領域内に位置するユーザ端末２０１の第１ユーザとソーシャルネットワークの人脈関係にある第２ユーザの隣接端末から無線通信装置の装置識別情報を受信してコンテンツを検索してもよい。
【００３４】
コンテンツ提供部２０７は、無線通信装置の装置識別情報に対応するコンテンツをユーザ端末２０１に提供する。ここで、ユーザ端末２０１は、無線通信装置の位置情報に基づいて受信した少なくとも１つのコンテンツの表示を制御してもよい。
【００３５】
図３は、本発明の一実施形態に係るコンテンツを表示することを制御する過程を示す図である。
【００３６】
ユーザ端末３０２は、無線通信装置３０１のカバレッジ領域内に位置するものと仮定する。ここで、無線通信装置３０１は、ユーザ端末３０２との距離に応じて信号感度が一定レベル以上である装置を意味する。
【００３７】
それで、ユーザ端末３０２は、無線通信装置３０１から装置識別情報（ＩＤ１）を受信してもよい。そして、ユーザ端末３０２は、装置識別情報（ＩＤ１）をコンテンツ提供システム３０３に伝達してもよい。コンテンツ提供システム３０３は、装置識別情報（ＩＤ１）に対応するコンテンツ１、コンテンツ２、及びコンテンツ３をユーザ端末３０２に提供してもよい。
【００３８】
ユーザ端末３０２は、装置識別情報（ＩＤ１）に対応するコンテンツ１、コンテンツ２及びコンテンツ３をディスプレイ上に表示してもよい。ここで、コンテンツ１、コンテンツ２及びコンテンツ３の順序は、無線通信装置の位置情報により変更され得る。例えば、ユーザ端末３０２が無線通信装置に近接する位置にあれば、ユーザ端末３０２は、無線通信装置の位置情報と直接的に関連するコンテンツを優先して表示してもよい。そして、ユーザ端末３０２が無線通信装置のカバレッジ領域内にありつつ無線通信装置と遠距離に位置すれば、ユーザ端末３０２は装置識別情報（ＩＤ１）に対応するコンテンツを任意に表示してもよい。
【００３９】
図４は、本発明の一実施形態によりソーシャルネットワークの人脈関係にある他のユーザの隣接端末にコンテンツを提供する過程を示す図である。
【００４０】
ユーザ端末４０２は、無線通信装置４０１のカバレッジ領域内に位置してもよい。それで、無線通信装置４０１は、装置識別情報（ＩＤ１）をユーザ端末４０２に伝達してもよい。
【００４１】
ここで、ユーザ端末４０２は、装置識別情報（ＩＤ１）を無線通信装置４０１のカバレッジ領域の外にある隣接端末４０３に伝達してもよい。または、ユーザ端末４０２は装置識別情報（ＩＤ１）を、ユーザ端末４０２の第１ユーザとソーシャルネットワークの人脈関係にある第２ユーザの隣接端末４０３に伝達してもよい。
【００４２】
それで、隣接端末４０３は、ユーザ端末４０２から伝達された装置識別情報（ＩＤ１）をコンテンツ提供システム４０４に伝達し、コンテンツ提供システム４０４から装置識別情報（ＩＤ１）に対応する少なくとも１つのコンテンツを受信してもよい。
【００４３】
図５は、本発明の一実施形態に係るコンテンツ表示方法を示すフローチャートである。
【００４４】
ステップ５０１によると、ユーザ端末が無線通信装置のカバレッジ領域内に位置すると、ユーザ端末は無線通信装置から装置識別情報を受信する。一例として、ユーザ端末は、ユーザ端末によって複数の無線通信装置のうち選択された無線通信装置から識別情報を受信してもよい。ここで、ユーザ端末は、ユーザ端末との距離に応じて予め設定した信号感度以上を示す複数の無線通信装置のうち選択された無線装置から識別情報を受信してもよい。
【００４５】
また、ユーザ端末は、無線通信装置のカバレッジ領域内に位置していない隣接端末に前記無線通信装置の装置識別情報を伝達してもよい。ここで、ユーザ端末は、ユーザ端末の第１ユーザとソーシャルネットワークの人脈関係にある第２ユーザの隣接端末に前記無線通信装置の装置識別情報を伝達してもよい。
【００４６】
ステップ５０２によると、ユーザ端末は、コンテンツ提供システムから装置識別情報に対応する少なくとも１つのコンテンツ情報を受信して表示する。ここで、ユーザ端末は、ユーザ端末が位置したカバレッジ領域に対応する無線通信装置の位置情報に基づいて受信した少なくとも１つのコンテンツの表示を制御してもよい。
【００４７】
図６は、本発明の一実施形態に係るコンテンツ提供方法を示す図である。
【００４８】
ステップ６０１において、コンテンツ提供システムは、無線通信装置の装置識別情報に対応するコンテンツを格納して管理する。
【００４９】
ステップ６０２において、コンテンツ提供システムは、ユーザ端末から受信した無線通信装置の装置識別情報を用いてコンテンツを検索する。ここで、ユーザ端末は、無線通信装置のカバレッジ領域内に位置してもよい。
【００５０】
そして、コンテンツ提供システムは、無線通信装置のカバレッジ領域内に位置するユーザ端末が伝達した無線通信装置の装置識別情報を隣接端末から受信してコンテンツを検索してもよい。または、コンテンツ提供システムは、無線通信装置のカバレッジ領域内に位置するユーザ端末の第１ユーザとソーシャルネットワークの人脈関係にある第２ユーザの隣接端末から無線通信装置の装置識別情報を受信してコンテンツを検索してもよい。
【００５１】
ステップ６０３において、コンテンツ提供システムは、検索したコンテンツをユーザ端末に提供する。ここで、ユーザ端末は、無線通信装置の位置情報に基づいて受信した少なくとも１つのコンテンツの表示を制御してもよい。
【００５２】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。
【００５３】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【００５４】
したがって、本発明の範囲は、開示された実施形態に限定されるものではなく、特許請求の範囲だけではなく特許請求の範囲と均等なものなどによって定められるものである。
【符号の説明】
【００５５】
１０１：無線通信装置
１０２：無線通信装置
１０３：ユーザ端末
１０４：コンテンツ提供システム
【図１】
2014529374.tif 000003
【図２】
2014529374.tif 000004
【図３】
2014529374.tif 000005
【図４】
2014529374.tif 000006
【図５】
2014529374.tif 000007
【図６】
2014529374.tif 000008
【国際調査報告】
2014529374.tif 000009
2014529374.tif 000010
2014529374.tif 000011
2014529374.tif 000012